【手続補正書】
【提出日】平成26年5月26日(2014.5.26)
【手続補正１】
【補正対象書類名】特許請求の範囲
【補正対象項目名】全文
【補正方法】変更
【補正の内容】
【特許請求の範囲】
【請求項１】
モバイルコンテンツ配信のシステムにおいて使用するための方法であって、前記システムはローカルに格納されたコンテンツを有し、かつワイヤレスサービスプロバイダからワイヤレスでコンテンツを受信することが可能であり、
前記システムが第１のワイヤレスサービスプロバイダからコンテンツを受信することを許可された領域内にあるか否かを判定するステップと、
番組ガイドの表示を可能にするステップと、
前記システムが前記許可された領域内に無い場合、前記ローカルに格納されたコンテンツからのチャンネルを含むが前記第１のワイヤレスサービスプロバイダからのチャンネルを含まない前記番組ガイドの表示を可能にするステップと、
を含み、
前記システムが前記第１のワイヤレスサービスプロバイダからのコンテンツを受信することが許可された領域内にあるとき、前記方法は、
前記第１のワイヤレスサービスプロバイダからライブワイヤレス番組ガイド情報を受信するためのユーザ信号が受信されたか否かを判定するステップと、
前記ユーザ信号が受信された場合、前記ライブワイヤレス番組ガイド情報を取得し、前記ローカルに格納されたコンテンツからのチャンネルと、前記ライブワイヤレス番組ガイド情報に含まれる前記第１のワイヤレスサービスプロバイダからのチャンネルとを含む前記番組ガイドの表示を可能にするステップと、
前記ユーザ信号が受信されていない場合、前記ローカルに格納されたコンテンツからのチャンネルを含むが前記第1のワイヤレスサービスプロバイダからのチャンネルを含まない前記番組ガイドの表示を可能にするステップと、
を更に含む、前記方法。
【請求項２】
モバイルコンテンツ配信のシステムであって、
前記システムがワイヤレスサービスプロバイダからコンテンツを受信することが許可された領域内にあるか否かを判定する手段と、
ローカルコンテンツを格納する手段と、
を備え、前記モバイルコンテンツ配信のシステムは、
前記ローカルコンテンツのための番組ガイド情報および前記ワイヤレスサービスプロバイからの番組ガイド情報を取得する手段と、
番組ガイドの表示を制御する手段と、
をさらに備え、
前記判定する手段において前記システムが前記許可された領域外にあると判定した場合、前記表示を制御する手段は前記ローカルコンテンツからのチャンネルを含むが前記ワイヤレスサービスプロバイダからのチャンネルを含まない前記番組ガイドの表示を可能にし、前記判定する手段において前記システムが前記許可された領域内にあると判定した場合、前記表示を制御する手段は前記ワイヤレスサービスプロバイダからライブワイヤレス番組ガイド情報を受信するためのユーザ信号が受信されたか否かを判定し、前記ユーザ信号が受信されている場合、前記番組ガイド情報を取得する手段は前記ライブワイヤレス番組ガイド情報を取得し、前記表示を制御する手段は前記ローカルコンテンツからのチャンネルと前記ライブワイヤレス番組ガイド情報に含まれるチャンネルとを含む前記番組ガイドの表示を可能にし、前記ユーザ信号が受信されていない場合、前記表示を制御する手段は前記ローカルコンテンツからのチャンネルを含むが前記ワイヤレスサービスプロバイダからのチャンネルを含まない前記番組ガイドの表示を可能にする、前記システム。
【手続補正２】
【補正対象書類名】明細書
【補正対象項目名】０１４５
【補正方法】変更
【補正の内容】
【０１４５】
図４は通信範囲（カバレージ）外（ＯＯＣ）の動作が、規定領域の境界、都市ペア、信号ロックまたは強度、及びＧＰＳ位置の４つのパラメータの関数であることを示しているが、飛行機が規定カバーエリア内又はその外のどちらかに移動する際に進行方向や標高等の他のパラメータもさらに遷移を制限すると考えることができる。例えば、飛行機が規定カバーエリアの境界に沿って飛行しているときに、衛星サービスをオンオフすることによる望ましくない影響を最小限に抑えるためにこれらの２つのパラメータを使用することができる。
本発明は以下の態様を含む。
（付記１）
ローカルに格納されたコンテンツを有し、ワイヤレスサービスプロバイダからワイヤレスでコンテンツを受信することが可能なモバイルコンテンツ配信システム（１００）で使用する方法であって、
前記システムが第１のワイヤレスサービスプロバイダからコンテンツを受信することを許可された領域内にあるか否かを判定するステップ（３２０）と、
前記システムが許可された領域内に無い場合、前記ローカルに格納されたコンテンツからのチャンネルを含むが前記第１のワイヤレスサービスプロバイダからのチャンネルを含まない番組ガイドの表示を可能にするステップ（３６０）と、
を含み、
前記モバイルシステムが前記第１のワイヤレスサービス・プロバイダからのコンテンツを受信することが許可された領域内にあるとき、前記方法は、
前記第１のワイヤレスサービスプロバイダからライブワイヤレス番組ガイド情報を受信するためのユーザ信号が受信されたか否かを判定するステップ（３３０）と、
前記ユーザ信号が受信された場合、前記ライブワイヤレス番組ガイド情報を取得（３４０）し、前記ローカルに格納されたコンテンツからのチャンネルと、前記ライブワイヤレス番組ガイド情報に含まれる前記第１のワイヤレスサービス・プロバイダからのチャンネルとを含む番組ガイドの表示を可能にするステップ（３５０）と、
を更に含む、前記方法。
（付記２）
前記ユーザ信号が受信されていない場合、前記ローカルに格納されたコンテンツからのチャンネルを含むが前記第１のワイヤレスサービスプロバイダからのチャンネルを含まない前記番組ガイドの表示を可能にする（３６０）ステップを更に含む、付記１に記載の方法。
（付記３）
前記ユーザが前記ライブワイヤレス番組ガイド情報を望んでいるか否かを問い合わせるステップを更に含む、付記１に記載の方法。
（付記４）
前記システムが前記第１のワイヤレスサービスプロバイダの許可領域外から許可領域内に移動したときに前記問い合わせるステップが実行される、付記３に記載の方法。
（付記５）
前記問い合わせるステップは、前記ユーザが前記ユーザ信号を提供するためのボタンを含むオンスクリーンディスプレイを表示するステップを含む、付記３に記載の方法。
（付記６）
前記システムは受信機を備え、前記受信機は第１のチャンネルを選局しており、前記ライブワイヤレス番組情報を取得するステップは、前記ライブワイヤレス番組ガイド情報を取得するために所定の無線チャンネルを選局するステップ（３４０）を更に含む、付記３に記載の方法。
（付記７）
前記所定のチャンネルから前記ライブワイヤレス番組ガイド情報が取得された後に、前記第１のチャンネルに選局を戻すステップを更に含む、付記６に記載の方法。
（付記８）
前記所定の衛星チャンネルを選局する前に、前記第１のチャンネルからのサービスが中断されることをユーザに警告するステップを更に含む、付記７に記載の方法。
（付記９）
ユーザ信号が受信されている場合、前記受信機をリブートするステップを含む、付記６に記載の方法。
（付記１０）
前記システムが前記許可された領域内から前記許可された領域外に移動するとき、前記第１のワイヤレスサービスプロバイダのための第１の番組ガイド情報の第１のコピーを格納するステップを更に含む、付記１に記載の方法。
（付記１１）
前記ユーザ信号が受信されていないとき、ローカルに格納されたコンテンツからのチャンネルと、第１の番組ガイド情報内の無線チャンネルとを含む前記番組ガイドの表示を可能にするステップを更に含む、付記１０に記載の方法。
（付記１２）
第１のワイヤレスサービスプロバイダの第１の無線チャンネルが前記番組ガイドに表示されることが許可されているか否かを表すメモリに格納されたインジケータをチェックするステップと、
前記インジケータが前記第１の衛星チャンネルの表示が許可されていないことを示す場合、前記第１の衛星チャンネルを前記番組ガイドから除外するステップと、
を更に含む、付記１に記載の方法。
（付記１３）
前記ユーザ信号を判定するステップは、前記ユーザ信号が番組ガイドを見るための要求である場合、前記ユーザ信号が受信されていると判定する、付記１に記載の方法。
（付記１４）
モバイルコンテンツ配信システム（１００）であって、
前記システムがワイヤレスサービスプロバイダからコンテンツを受信することを許可された領域内にあるか否かを判定するシステムコントローラ（１１１）と、
ローカルコンテンツを格納する記憶媒体と、
前記ローカルコンテンツのための番組ガイド情報と前記ワイヤレスサービスプロバイダからの番組ガイド情報を取得する番組ガイドインタプリタ（１２４）と、
番組ガイドの表示を制御するコンテンツエンフォーサ（１２５）と、
を含み、
前記システムコントローラ（１１１）において、前記システムが前記許可された領域内にないと判定した場合、前記コンテンツエンフォーサ（１２５）は前記ローカルコンテンツからのチャンネルを含むが前記ワイヤレスサービスプロバイダからのチャンネルを含まない前記番組ガイドの表示を可能にし、前記システムコントローラ（１１１）において、前記システムが前記許可された領域内にあると判定した場合、前記コンテンツエンフォーサ（１２５）はワイヤレスサービスプロバイダからのライブワイヤレス番組ガイド情報を受信するためのユーザ信号が受信されているか否かを判定し、前記ユーザ信号が受信されている場合、前記番組ガイドインタプリタ（１２４）が前記ライブワイヤレス番組ガイド情報を取得し、前記コンテンツエンフォーサ（１２５）が前記ローカルコンテンツからのチャンネルと前記ライブワイヤレス番組ガイド情報に含まれるチャンネルとを含む前記番組ガイドの表示を可能にする、前記モバイルコンテンツ配信システム。 
（付記１５）
前記ユーザ信号が受信されていない場合、前記コンテンツエンフォーサ（１２５）は、前記ローカルコンテンツからのチャンネルを含むが前記ワイヤレスサービスプロバイダからのチャンネルを含まない前記番組ガイドの表示を可能にする、付記１４記載のモバイルコンテンツ配信システム（１００）。 
（付記１６）
前記番組ガイドインタプリタ（１２４）が前記ライブワイヤレス番組ガイド情報を取得する前に、前記コンテンツエンフォーサ（１２４）はユーザが前記ライブワイヤレス番組ガイド情報を望んでいるか否かを前記ユーザに問い合わせるメッセージの表示を可能にする、付記１４に記載のモバイルコンテンツ配信システム（１００）。
（付記１７）
前記コンテンツエンフォーサ（１２４）は、前記モバイルコンテンツ配信システムが前記ワイヤレスサービスプロバイダの前記許可された領域外から前記許可された領域内に移動するとき、前記メッセージの表示を可能にする、付記１６に記載のモバイルコンテンツ配信システム（１００）。 
（付記１８）
前記コンテンツエンフォーサ（１２４）は、前記ユーザが前記ユーザ信号を提供するためのボタンを含むオンスクリーンディスプレイ上で前記メッセージの表示を可能にする、付記１６に記載のモバイルコンテンツ配信システム（１００）。
（付記１９）
論理的なチューナー（１２１）を更に含み、第１のチャンネルを選局し、番組ガイドインタプリタ（１２４）が前記ライブワイヤレス番組ガイド情報を取得するように、前記論理的なチューナー（１２１）は所定の無線チャンネルを選局する、付記１４に記載のモバイルコンテンツ配信システム（１００）。 
（付記２０）
前記番組ガイドインタプリタ（１２４）が前記ライブワイヤレス番組ガイド情報を取得した後に、前記論理チューナー（１２１）は前記第１のチャンネルに選局を戻す、付記１９に記載のモバイルコンテンツ配信システム（１００）。
（付記２１）
前記コンテンツエンフォーサ（１２４）は、前記論理チューナー（１２１）が前記所定の無線チャンネルを選局する前に前記第１のチャンネルからのサービスが中断されることを示す警告の表示を可能にする、付記２０記載のモバイルコンテンツ配信システム（１００）。
（付記２２）
前記システムが前記許可された領域内から前記許可された領域外に移動するとき、前記番組ガイドインタプリタ（１２４）は前記ワイヤレスサービスプロバイダのための第１の番組ガイド情報の第１のコピーを格納する、付記１４に記載のモバイルコンテンツ配信システム（１００）。
（付記２３）
前記コンテンツエンフォーサ（１２５）は、前記ユーザ信号が受信されていないとき、前記ローカルコンテンツからのチャンネルと、前記第１の番組ガイド情報に含まれるチャンネルとを含む前記番組ガイドの表示を可能にする、付記２２に記載のモバイルコンテンツ配信システム（１００）。
（付記２４）
前記コンテンツエンフォーサ（１２５）は、前記ワイヤレスサービスプロバイダの第１の衛星チャンネルが前記番組ガイドで表示されることが許可されているか否かを示すメモリに格納されているインジケータをチェックし、前記第１の衛星チャンネルを表示することが許可されていないことを前記インジケータが示す場合、前記コンテンツエンフォーサ（１２５）は前記表示内の前記番組ガイドから前記第１の衛星チャンネルを除外する、付記１４に記載のモバイルコンテンツ配信システム（１００）。
（付記２５）
前記コンテンツエンフォーサ（１２５）が前記ユーザのための番組ガイドを見る要求を受信したとき、前記コンテンツエンフォーサ（１２５）は、前記ユーザ信号が受信されていると判定する、付記１４記載のモバイルコンテンツ配信システム。
（付記２６）
モバイルコンテンツ配信システム（１００）であって、
前記システムがワイヤレスサービス・プロバイダからコンテンツを受信することが許可された領域内にあるか否かを判定する手段（１１１）と、
ローカルコンテンツを格納する手段と、
前記ローカルコンテンツのための番組ガイド情報および前記ワイヤレスサービスプロバイからの番組ガイド情報を取得する手段（１２４）と、
番組ガイドの表示を制御する手段（１２５）と、
を含み、
前記判定手段（１１１）において前記システムが前記許可された領域外にあると判定した場合、前記表示制御手段（１２５）は前記ローカルコンテンツからのチャンネルを含むが前記ワイヤレスサービスプロバイダからのチャンネルは含まない前記番組ガイドの表示を可能にし、前記判定手段（１１１）において前記システムが前記許可された領域内にあると判定した場合、前記表示制御手段（１２５）は前記ワイヤレスサービスプロバイダからライブワイヤレス番組ガイド情報を受信するためのユーザ信号が受信されたか否かを判定し、前記ユーザ信号が受信されている場合、前記番組ガイド取得手段（１２４）は前記ライブワイヤレス番組ガイド情報を取得し、前記表示制御手段（１２５）が前記ローカルコンテンツからのチャンネルと前記ライブワイヤレス番組ガイド情報に含まれるチャンネルとを含む前記番組ガイドの表示を可能にする、前記モバイルコンテンツ配信システム（１００）。
（付記２７）
前記ユーザ信号が受信されていない場合、前記表示制御手段（１２５）は前記ローカルコンテンツからのチャンネルを含むが前記ワイヤレスサービスプロバイダからのチャンネルを含まない前記番組ガイドの表示を可能にする、付記２６に記載のモバイルコンテンツ配信システム（１００）。
（付記２８）
前記表示制御手段（１２４）は、前記番組ガイド取得手段（１２４）が前記ライブワイヤレス番組ガイド情報を取得する前に、ユーザが前記ライブワイヤレス番組ガイド情報を望んでいるか否かを前記ユーザに問い合わせるメッセージの表示を可能にする、付記２６記載のモバイルコンテンツ配信システム（１００）。
（付記２９）
前記表示制御手段（１２４）は前記モバイルコンテンツ配信システムが前記ワイヤレスサービスプロバイダの前記許可された領域外から前記許可された領域内に移動したときに前記メッセージの表示を可能にする、付記２８に記載のモバイルコンテンツ配信システム（１００）。
（付記３０）
前記表示制御手段（１２４）は、前記ユーザが前記ユーザ信号を提供するためのボタンを含むオンスクリーンディスプレイ上に前記メッセージの表示を可能にする、付記２８に記載のモバイルコンテンツ配信システム（１００）。
（付記３１）
選局手段（１２１）を更に含み、前記第１のチャンネルを選局し、前記番組ガイド取得手段（１２４）が前記ライブワイヤレス番組ガイド情報を取得するように、前記選局手段（１２１）は前記所定の無線チャンネルを選局する、付記２６記載のモバイルコンテンツ配信システム（１００）。
（付記３２）
前記番組ガイド取得手段（１２４）が前記ライブワイヤレス番組ガイド情報を取得した後、前記選局手段（１２１）は、前記第１のチャンネルに選局を戻す、付記３１記載のモバイルコンテンツ配信システム（１００）。
（付記３３）
前記選局手段（１２１）が前記所定の無線チャンネルを選局する前に、前記表示制御手段（１２４）は前記第１のチャンネルからのサービスが中断されることを示す警告の表示を可能にする、付記３２記載のモバイルコンテンツ配信システム（１００）。
（付記３４）
前記番組ガイド取得手段（１２４）は、前記システムが前記許可された領域内から前記許可された領域外に移動するとき、前記ワイヤレスサービスプロバイダのための第１の番組ガイド情報の第１のコピーを格納する、付記２６記載のモバイルコンテンツ配信システム（１００）。
（付記３５）
前記表示制御手段（１２５）は、前記ユーザ信号が受信されていないとき、前記ローカルコンテンツからのチャンネルと、前記第１の番組ガイド情報に含まれるチャンネルとを含む前記番組ガイドの表示を可能にする、付記３４記載のモバイルコンテンツ配信システム（１００）。
（付記３６）
前記表示制御手段（１２５）は、前記ワイヤレスサービスプロバイダの第１の衛星チャンネルが前記番組ガイド内に表示されることが許可されているか否かを示すメモリに格納されているインジケータをチェックし、前記第１の衛星チャンネルを表示することが許可されていないことを前記インジケータが示す場合、前記表示制御手段（１２５）は前記表示内の前記番組ガイドから前記第１の衛星チャンネルを除外する、付記２６記載のモバイルコンテンツ配信システム（１００）。
（付記３７）
前記表示制御手段（１２５）が前記ユーザのための前記番組ガイドを見る要求を受信したとき、前記表示制御手段（１２５）は前記ユーザ信号が受信されていると判定する、付記２６に記載のモバイルコンテンツ配信システム。